(57)【特許請求の範囲】
【請求項１】
塵芥収容箱の後方開口部に連設され、塵芥積込装置が備えられた塵芥投入箱と、
前記塵芥投入箱の後方下部に取り付けられた基台と、
種類の異なるごみ容器を固縛保持する少なくとも２つの固縛保持手段が設けられた支持台と、
一端が前記基台の上部に、他端が前記支持台に、それぞれ回動自在に軸支された作動アームおよび反転補助アームと、
前記基台と作動アームとにそれぞれ回動自在に軸支されたシリンダと
を有し、前記シリンダを伸縮させることにより、前記基台に固縛保持されたごみ容器の上部開口が前記塵芥投入箱後方に形成された投入口に臨むように反転させるごみ容器反転装置であって、
前記支持台の上部に回動可能に軸支された上部ブラケットと、
前記上部ブラケットに回動可能に軸支された上部支持ローラと、
前記支持台の下部に回動可能に軸支された下部ブラケットと、
前記下部ブラケットに回動可能に軸支された下部支持ローラと、
一端が前記上部ブラケットに、他端が前記下部ブラケットに、それぞれ回動可能に軸支され、前記上部ブラケットおよび前記下部ブラケットを同期して回動させることにより、前記上部支持ローラおよび前記下部支持ローラを、ごみ容器の側面を支持する作業位置と、前記支持台側に格納される格納位置との間で出没させるリンクアームと
を有するごみ容器反転装置。
【請求項２】
前記固縛保持手段は、
前記支持台の上下に設けられ、ごみ容器の一側面上部に形成された係合凹部に係止する上係止片と、ごみ容器の一側面下部に設けられた係止ピンに係止する下係止片とから構成される第１の固縛保持手段と、
前記支持台もしくは別の支持台に設けられ、ごみ容器の一側面上部もしくは中間部に配設された固縛棒を上下に摺動自在に挟持する上挟持部材と、下挟持部材とから構成される第２の固縛保持手段と
を有する請求項１記載のごみ容器反転装置。
【請求項３】
前記上部ブラケットを回動させるための操作ハンドルを有する請求項１または２に記載のごみ容器反転装置。
【請求項４】
前記上部ブラケットまたは下部ブラケットを回動させる伸縮シリンダを有する請求項１または２に記載のごみ容器反転装置。
【請求項５】
請求項１から４のいずれかの項に記載のごみ容器反転装置を有する塵芥収集車。
【発明の詳細な説明】
【技術分野】
【０００１】
本発明は、家庭や工場などから発生したごみを塵芥収容箱内に投入するに際し、ごみが収容されたごみ容器を反転させてごみ容器内のごみを塵芥投入箱に投入するごみ容器反転装置およびこれを備えた塵芥収集車に関する。
【背景技術】
【０００２】
従来、車体上に搭載された塵芥収容箱の後方開口部に塵芥積込装置を備えた塵芥投入箱が傾動自在に連設された塵芥収集車が知られている。また、このような塵芥収集車の塵芥投入箱後部の支持台にごみが収容されたごみ容器を保持した後、この支持台をごみ容器とともに上方に持ち上げ、ごみ容器の上部開口が塵芥投入箱の投入開口部に臨む位置まで反転させることで、ごみ容器内のごみを塵芥投入箱に投入するごみ容器反転装置を備えた塵芥収集車が知られている。
【０００３】
ところで、反転装置により反転させてごみを投入するごみ容器には、複数の種類のものがある。例えば、一側面上部に係合凹部が形成されるとともに下部に係止ピンを配置したタイプ（以下、「タイプＡ」と称す。）のごみ容器や、一側面中間部に固縛棒が側面に突出するように配設されたタイプ（以下、「タイプＢ」と称す。）のごみ容器などがある。そこで、例えば特許文献１に記載のように、固縛保持するタイプが異なるごみ容器を固縛保持する少なくとも２つの固縛保持手段が設けられたごみ容器反転装置が開発されている。
【０００４】
特許文献１に記載のごみ容器反転装置は、支持台の上下に設けられた上係止片および下係止片とから構成されたタイプＡのごみ容器を固縛保持する第１固縛保持装置と、支持台にブラケットを介して枢支された略逆Ｊ字状の上挟持部材と、ブラケットを介して枢支された略Ｖ字状の下挟持部材とから構成されたタイプＢのごみ容器を固縛保持する第２固縛保持装置とを備えている。
【０００５】
また、このごみ容器反転装置では、支持台の下部に、ブラケットを介して支持ローラが回転自在に支持されており、タイプＢのごみ容器を持ち上げて反転させる際に、ごみ容器の側面を支持する支持部材を構成するとともに、ごみ容器を支持した際にこのごみ容器との摩擦抵抗を緩和する緩和手段を構成している。なお、支持ローラは、その基端部が支持台に水平に軸支された軸部材に回動自在に支持されており、支持台から後方に突設され、ごみ容器の側面を支持する作業位置と、支持台側に格納される格納位置とに配置可能に構成されている。
【０００６】
ところで、上記ごみ容器反転装置は、タイプＡやタイプＢなどの様々なごみ容器を固縛保持して反転させ、ごみ容器内のごみを塵芥投入箱へ投入することが可能であるが、特に大きなごみ容器を固縛保持して反転させる場合、支持台下部の支持ローラだけでは摩擦抵抗の緩和が不十分な場合がある。なお、例えば特許文献２には、支持台の上方にサポートローラを備えているが、このサポートローラは内側（塵芥投入箱側）に固定されているため、ごみ容器が反転した後でなければ当接することはなく、摩擦抵抗の緩和は不十分である。また、タイプＢのごみ容器を固縛し、反転投入する際、タイプＡのごみ容器の固縛装置がタイプＢのごみ容器の一側面と干渉し、摩擦抵抗を悪化させるばかりでなく、場合によってはタイプＢのごみ容器を破壊させる恐れがある。
【先行技術文献】
【特許文献】
【０００７】
【特許文献１】特許第３１０５４１６号公報
【特許文献２】特許第４３１６９１３号公報
【発明の概要】
【発明が解決しようとする課題】
【０００８】
そこで、本発明では、固縛保持するタイプが異なるごみ容器を固縛保持する少なくとも２つの固縛保持手段が設けられたごみ容器反転装置において、タイプＢのごみ容器を持ち上げて反転させる際に、支持台の上部および下部の少なくとも２箇所でごみ容器の側面を支持するとともに、このごみ容器との摩擦抵抗を緩和し、また、タイプＡのごみ容器反転装置との干渉による破損を防止し、かつ支持が不要な場合には容易に収納することが可能なローラを有するごみ容器反転装置およびこれを備えた塵芥収集車を提供することを目的とする。
【課題を解決するための手段】
【０００９】
本発明のごみ容器反転装置は、塵芥収容箱の後方開口部に連設され、塵芥積込装置が備えられた塵芥投入箱と、塵芥投入箱の後方下部に取り付けられた基台と、種類の異なるごみ容器を固縛保持する少なくとも２つの固縛保持手段が設けられた支持台と、一端が基台の上部に、他端が支持台に、それぞれ回動自在に軸支された作動アームおよび反転補助アームと、基台と作動アームとにそれぞれ回動自在に軸支されたシリンダとを有し、シリンダを伸縮させることにより、基台に固縛保持されたごみ容器の上部開口が塵芥投入箱後方に形成された投入口に臨むように反転させるごみ容器反転装置であって、支持台の上部に回動可能に軸支された上部ブラケットと、上部ブラケットに回動可能に軸支された上部支持ローラと、支持台の下部に回動可能に軸支された下部ブラケットと、下部ブラケットに回動可能に軸支された下部支持ローラと、一端が上部ブラケットに、他端が下部ブラケットに、それぞれ回動可能に軸支され、上部ブラケットおよび下部ブラケットを同期して回動させることにより、上部支持ローラおよび下部支持ローラを、ごみ容器の側面を支持する作業位置と、支持台側に格納される格納位置との間で出没させるリンクアームとを有するものである。
【００１０】
本発明のごみ容器反転装置によれば、リンクアームによって上部ブラケットおよび下部ブラケットを同期して回動させることにより、上部支持ローラおよび下部支持ローラを、ごみ容器の側面を支持する作業位置と、支持台側に格納される格納位置との間で容易に出没させることができる。そして、作業位置においては、上部支持ローラおよび下部支持ローラによって上部および下部の少なくとも２箇所でごみ容器の側面を支持するとともに、ごみ容器との摩擦抵抗を緩和することができる。
【００１１】
ここで、固縛保持手段は、支持台の上下に設けられ、ごみ容器の一側面上部に形成された係合凹部に係止する上係止片と、ごみ容器の一側面下部に設けられた係止ピンに係止する下係止片とから構成される第１の固縛保持手段と、支持台もしくは別の支持台に設けられ、ごみ容器の一側面上部もしくは中間部に配設された固縛棒を上下に摺動自在に挟持する上挟持部材と、下挟持部材とから構成される第２の固縛保持手段とを有する構成とすることができる。
【００１２】
これにより、一側面上部に係合凹部が形成され、一側面下部に係止ピンが設けられたごみ容器と、一側面上部もしくは中間部に固縛棒が配設されたごみ容器との２種の固縛保持するタイプが異なるごみ容器を持ち上げ、当該ごみ容器の上部開口が前記塵芥投入箱に形成された投入口に臨むように反転させることができる。
【００１３】
また、本発明のごみ容器反転装置は、上部ブラケットを回動させるための操作ハンドルを有することが望ましい。これにより、操作ハンドルを操作して支持台の上部にある上部ブラケットを回動させると、リンクアームによって下部ブラケットが同期して回動するので、作業者は容易に上部支持ローラおよび下部支持ローラを出没させることができる。
【００１４】
あるいは、本発明のごみ容器反転装置は、上部ブラケットまたは下部ブラケットを回動させる伸縮シリンダを有することが望ましい。これにより、上部ブラケットまたは下部ブラケットの一方を伸縮シリンダにより回動させると、リンクアームによって他方の下部ブラケットまたは上部ブラケットが同期して回動し、上部支持ローラおよび下部支持ローラを出没させることができる。
【発明の効果】
【００１５】
（１）塵芥投入箱の後方下部に取り付けられた基台と、種類の異なるごみ容器を固縛保持する少なくとも２つの固縛保持手段が設けられた支持台と、一端が基台の上部に、他端が支持台に、それぞれ回動自在に軸支された作動アームと、支持台の上部に回動可能に軸支された上部ブラケットと、上部ブラケットに回動可能に軸支された上部支持ローラと、支持台の下部に回動可能に軸支された下部ブラケットと、下部ブラケットに回動可能に軸支された下部支持ローラと、一端が上部ブラケットに、他端が下部ブラケットに、それぞれ回動可能に軸支され、上部ブラケットおよび下部ブラケットを同期して回動させることにより、上部支持ローラおよび下部支持ローラを、ごみ容器の側面を支持する作業位置と、支持台側に格納される格納位置との間で出没させるリンクアームとを有することにより、リンクアームによって上部ブラケットおよび下部ブラケットを同期して回動させて、上部支持ローラおよび下部支持ローラを、ごみ容器の側面を支持する作業位置と、支持台側に格納される格納位置との間で容易に出没させることができ、ごみ容器を持ち上げて反転させる際に、支持台の上部および下部の少なくとも２箇所でごみ容器の側面を支持するとともに、ごみ容器との摩擦抵抗を緩和し、かつ支持が不要な場合には容易に収納することが可能となる。
【００１６】
（２）固縛保持手段が、支持台の上下に設けられ、ごみ容器の一側面上部に形成された係合凹部に係止する上係止片と、ごみ容器の一側面下部に設けられた係止ピンに係止する下係止片とから構成される第１の固縛保持手段と、支持台もしくは別の支持台に設けられ、ごみ容器の一側面上部もしくは中間部に配設された固縛棒を上下に摺動自在に挟持する上挟持部材と、下挟持部材とから構成される第２の固縛保持手段とを有する構成により、一側面上部に係合凹部が形成され、一側面下部に係止ピンが設けられたごみ容器と、一側面上部もしくは中間部に固縛棒が配設されたごみ容器との２種の固縛保持するタイプが異なるごみ容器に対応可能となる。
【００１７】
（３）上部ブラケットを回動させるための操作ハンドルを有することにより、作業者は操作ハンドルを操作して容易に上部支持ローラおよび下部支持ローラを出没させることができる。
【００１８】
（４）上部ブラケットまたは下部ブラケットを回動させる伸縮シリンダを有することにより、伸縮シリンダの動作により、自動的に上部支持ローラおよび下部支持ローラを出没させることができる。
【図面の簡単な説明】
【００１９】
【図１】本発明の実施の形態におけるごみ容器反転装置を備えた塵芥収集車後部の部分拡大側面図である。
【図２】図１のごみ容器反転装置の背面図である。
【図３】図１のごみ容器反転装置の平面図である。
【図４】タイプＡのごみ容器を保持した状態を示す図１のごみ容器反転装置の背面図である。
【図５】タイプＡのごみ容器を反転投入する際の動作を示す図２のＸ−Ｘ断面図である。
【図６】タイプＢのごみ容器を保持した状態を示す図１のごみ容器反転装置の背面図である。
【図７】タイプＢのごみ容器を反転投入する際の動作を示す部分拡大側面図である。
【図８】第２固縛保持装置の動作を説明する側面図である。
【発明を実施するための形態】
【００２０】
図１は本発明の実施の形態におけるごみ容器反転装置を備えた塵芥収集車後部の部分拡大断面図、図２は図１のごみ容器反転装置の背面図、図３は図１のごみ容器反転装置の平面図である。図４（ａ）はタイプＡの大型のごみ容器を保持した状態を示す図１のごみ容器反転装置の背面図、図４（ｂ）はタイプＡの小型のごみ容器を２個並列に保持した図１のごみ容器反転装置の背面図であり、小型のごみ容器を左右のいずれかに１個保持することもできる。図５はタイプＡのごみ容器を反転投入する際の動作を示す図２のＸ−Ｘ断面図である。図６はタイプＢのごみ容器を保持した状態を示す図１のごみ容器反転装置の背面図、図７はタイプＢのごみ容器を反転投入する際の動作を示す部分拡大側面図、図８は第２固縛保持装置の動作を説明する側面図である。
【００２１】
図１において、本発明の実施の形態における塵芥収集車は、車体上に塵芥収容箱１が搭載され、この塵芥収容箱１の後端の後方開口部１ａに連設された塵芥投入箱２を備えている。塵芥投入箱２の後部には、塵芥を投入する投入口３が開口されている。また、塵芥投入箱２の投入口３の後方下部には、ごみが収容されたごみ容器（詳細は後述する。）を保持し、持ち上げて、このごみ容器の上部開口が投入口３に臨むように反転させて、このごみ容器内のごみを塵芥投入箱２に投入するごみ容器反転装置４が設けられている。
【００２２】
塵芥投入箱２内には塵芥積込装置（図示せず。）が装備されており、投入口３から塵芥投入箱２内に投入された塵芥を圧縮して塵芥収容箱１に積み込むようになっている。塵芥収容箱１内には、前後方向に摺動自在な排出板（図示せず。）が装備されている。この排出板と塵芥収容箱１の前部との間には伸縮シリンダ（図示せず。）が連設されている。この伸縮シリンダの伸縮作動により排出板が塵芥収容箱１内を車体の前後方向に往復動することで、塵芥積込装置による塵芥収容箱１へのごみの積み込み時におけるごみの圧縮および塵芥収容箱１内に収容されたごみの排出が行われる。
【００２３】
ごみ容器反転装置４は、塵芥投入箱の２の投入口３の後方下部に取り付けられた基台５と、種類の異なるごみ容器を固縛保持する固縛保持手段としての第１固縛保持装置１０および第２固縛保持装置２０が設けられた支持台６と、一端が基台５の上部に、他端が支持台６に、それぞれ回動自在に軸支された作動アーム７および反転補助アーム８とを有している。また、支持台６には、ごみ容器を持ち上げて反転させる際に、ごみ容器の側面を支持する支持部材を構成するとともに、ごみ容器を支持した際にごみ容器との摩擦抵抗を緩和する緩和手段を構成するガイド装置３０が設けられている。
【００２４】
作動アーム７の中途部には、シリンダ７０のロッド端７１が軸７２によって回転可能に軸支されている。一方、シリンダ７０の基端部は、基台５に回転可能に軸支されている。作動アーム７は、シリンダ７０の伸縮動作により上下に回動し、反転補助アーム８の作用と相まって支持台６を反転作動させる。反転補助アーム８は、作動アーム７の回動による支持台６の反転を補助するものである。これにより、支持台６に第１固縛保持装置１０または第２固縛保持装置２０を介して係止されたごみ容器は、反転させられながら持ち上げられる。
【００２５】
第１固縛保持装置１０は、図４および図５に示すタイプＡのごみ容器Ａを固縛保持するものである。タイプＡのごみ容器Ａには、側面上部に係合凹部Ａ１が形成されるとともに下部に係止ピンＡ２が配置されている。第１固縛保持装置１０は、図２に示すように、支持台６の上下に設けられた上係止片１１および下係止片１２から構成されている。
【００２６】
上係止片１１は、ごみ容器Ａの側面上部に形成された係止凹部Ａ１に下方から挿入され、係止されるように構成されている。下係止片１２は、基端部が支持台６の下部に回動自在に軸支されるとともに、先端部がごみ容器Ａの側面下部に設けられた係止ピンＡ２に上方から係止されるよう鉤状に形成されている。下係止片１２には、下係止片作動アーム１３の基端部が回転自在に軸支されている。下係止片作動アーム１３の中途部には、内部にスプリングを有して伸縮可能なスプリング筒１４が設けられている。また、下係止片作動アーム１３の他端部は鉤状に形成されて、基台５の上部に回転自在に軸支されている。
【００２７】
下係止片１２は、作動アーム７および反転補助アーム８の回動に伴って作動される下係止片作動アーム１３により上下に回動し、図５において二点鎖線で示す反転途中位置で先端部が係止ピンＡ２に係止するように構成されている。また、この下係止片作動アーム１３は、その中途部に設けられたスプリング筒１４が適宜伸縮することにより、係止ピンＡ２と下係止片１２の位置が変動しても、内部のスプリングが伸縮することにより、係止ピンＡ２と下係止片１２とが外れたり、係止ピンＡ２や下係止片１２等を壊したりすることなく、ほぼ一定の固縛力で係止される。
【００２８】
第２固縛保持装置２０は、図６〜図８に示すタイプＢのごみ容器Ｂを固縛保持するものである。タイプＢのごみ容器Ｂには、一側面上部もしくは中間部に固縛棒Ｂ１が側面に突出するように配設されている。第２固縛保持装置２０は、支持台６にブラケット２１を介してピン２１ａにより回転自在に軸支された略逆Ｊ字状の上挟持部材２２と、ブラケット２３を介してピン２３ａにより回転自在に軸支された略Ｖ字状の下挟持部材２４とから構成されている。なお、本実施形態においては、第２固縛保持装置２０は第１固縛保持装置１０と共通の支持台６に設けられているが、これらは別々の支持台に設けた構成とすることも可能である。
【００２９】
上挟持部材２２と下挟持部材２４とは同一垂直面上に上下に配置されている。また、下挟持部材２４の一端に形成された長孔２５には、上挟持部材２２の一端にブラケット２６を介して固設されたピン２６ａが遊嵌されている。このように構成された第２固縛保持装置２０は、図８において実線で示す固縛位置と、二点鎖線で示す開放位置とを採ることができ、固縛位置において上挟持部材２２と下挟持部材２４とで形成された長孔部２７内でごみ容器Ｂの一側面に配設された固縛棒Ｂ１を上下に摺動自在に挟持することにより、ごみ容器Ｂを保持する。
【００３０】
また、第２固縛保持装置２０には、上挟持部材２２と下挟持部材２４とが固縛位置にあるときに、開放位置への動作を阻止し、固縛位置で保持するロックピン２８が設けられている。ロックピン２８は、図８に示すように、下挟持部材２４の途中部下端に形成された切欠部２４ａに係脱自在に配置されており、図２および図３に示すようにロックレバー２９の回動によりロックピン２８は切欠部２４ａに係脱操作を行うように構成されている。なお、左右のロックピン２８は、ロッド２８ａにより連結されており、一方のロックピン２８を操作すると、同期して他方のロックピン２８も切欠部２４ａに係脱操作できる。また、図示しない付勢部材により通常下挟持部材２４の切欠部２４ａに突出し、第２固縛保持装置２０を固縛位置で保持する方向に付勢されている。
【００３１】
ガイド装置３０は、支持台６の上部にピン３１ａにより回動可能に軸支された上部ブラケット３１と、上部ブラケット３１にピン３２ａにより回動可能に軸支された上部支持ローラ３２と、支持台６の下部に支持シャフト３３ａにより回動可能に軸支された下部ブラケット３３と、下部ブラケット３３にピン３４ａにより回動可能に軸支された下部支持ローラ３４と、一端が上部ブラケット３１に、他端が下部ブラケット３３に、それぞれ回動可能に軸支されたリンクアーム３５とから構成される。
【００３２】
なお、上部ブラケット３１、上部支持ローラ３２、下部ブラケット３３および下部支持ローラ３４は、塵芥投入箱２の投入口３の左右にそれぞれ設けられている。支持シャフト３３ａは、左右の下部ブラケット３３を貫通するように設けられている。また、リンクアーム３５の上部は、それぞれ左右の上部ブラケット３１に対してピン３５ａにより回動可能に軸支されている。一方、リンクアーム３５の下部は、ピン３５ｂによって回動可能に軸支されている。
【００３３】
この支持シャフト３３ａおよびリンクアーム３５によって投入口３の左右の上部ブラケット３１および下部ブラケット３３は同期して回動し、上部支持ローラ３２および下部支持ローラ３４は、図７に示すようにタイプＢのごみ容器Ｂの側面を支持する作業位置と、図５に示すように支持台６側に格納される格納位置との間で出没する。また、支持台６に固定の支持シャフト３３ａに対して、下部ブランケット３３を自由に回動できるようにすれば、下部ブランケット３３に同期して左右の上部ブランケット３１は、別個に回動操作できる。
【００３４】
また、本実施形態におけるガイド装置３０は、上部ブラケット３１を回動させるための操作ハンドル３６を左右の上部ブラケット３１に備えている。この操作ハンドル３６を把持して前後方向に手動で揺動することで、前述のように上部支持ローラ３２および下部支持ローラ３４を出没させることが可能となっている。なお、この操作ハンドル３６に代えて、上部ブラケット３１または下部ブラケット３３を回動させる伸縮シリンダを設けて、自動的に上部支持ローラ３２および下部支持ローラ３４を出没させる構成とすることも可能である。
【００３５】
次に、上記構成のごみ容器反転装置４の動作について説明する。
まず、タイプＡのごみ容器Ａを反転投入する場合について図５を参照して説明する。
【００３６】
最初に、操作ハンドル３６を操作して、ガイド装置３０を図５に示す格納位置へ配置し、支持台６の第１固縛保持装置１０にごみ容器Ａを装着する。そして、シリンダ７０を伸長させ、支持台６を上方に回動させてごみ容器Ａの係止凹部Ａ１に支持台６の上係止片１１を下方から挿入させて両者を係止させる。この後、さらに、シリンダ７０を伸長させて作動アーム７を上方に回動させることで、反転補助アーム８の作用と相まって支持台６が反転し、この支持台６に装着されたごみ容器Ａが反転する。これにより、ごみ容器Ａ内のごみが投入口３から塵芥投入箱２内に投入される。
【００３７】
このごみ容器Ａの反転動作時において、支持台６が図５において二点鎖線で示すように反転補助アーム８の回動動作とともに、下係止片作動アーム１３が回動動作する。これにより、下係止片１２が回動し、この下係止片１２の先端部がごみ容器Ａの係止ピンＡ２に係止する。つまり、この位置から図５において一点鎖線で示す反転位置までの間では下係止片１２がごみ容器Ａを支持することで、ごみ容器Ａの落下を防止している。
【００３８】
このようにタイプＡのごみ容器Ａは、ガイド装置３０を格納位置へ配置した状態で、第１固縛保持装置１０にごみ容器Ａを固縛保持し、ごみ容器反転装置４により反転させて、ごみ容器Ａのごみを塵芥投入箱２に投入し、この塵芥投入箱２内に投入したごみを塵芥積込装置によって圧縮しながら塵芥収容箱１に収容する。
【００３９】
次に、タイプＢのごみ容器Ｂを反転投入する場合について図７を参照して説明する。
【００４０】
最初に、操作ハンドル３６を操作して、ガイド装置３０を図７に示す作業位置へ配置する。そして、ごみを収集したごみ容器Ｂをごみ容器反転装置４に近接配置し、ごみ容器Ｂの固縛棒Ｂ１を上挟持部材２２の下端部に当接させながらごみ容器反転装置４側に押圧していく。この作用により、上挟持部材２２および下挟持部材２４が開放位置から固縛位置に作動し、ごみ容器Ｂの固縛棒Ｂ１が上挟持部材２２と下挟持部材２４とで形成される長孔部２７内に保持されるとともに、ロックピン２８が付勢部材の付勢力により下挟持部材２４の切欠部２４ａに係止し、これによってごみ容器Ｂが第２固縛保持装置２０に固縛保持される。
【００４１】
この後、シリンダ７０を伸長させて作動アーム７を上方に回動させることで、第２固縛保持装置２０に固縛保持されたごみ容器Ｂが若干後ろ下がりに傾斜し、ごみ容器Ｂの側面が下部支持ローラ３４に支持された状態で持ち上げられる。そして、さらに作動アーム７を上方に回動させることで、ごみ容器Ｂの側面が上部支持ローラ３２および下部支持ローラ３４に支持された状態で、ごみ容器Ｂは斜め下方に滑りながら反転し、図７に示す二点鎖線の位置、すなわち、このごみ容器Ｂの上部開口が下向き状態で塵芥投入箱２の投入口３に臨み、ごみ容器Ｂ内のごみが塵芥投入箱２に投入される。また、ごみ容器Ｂが滑り落ちる際、固縛棒Ｂ１が上挟持部材２２に勢いよく衝突することにより、ごみ容器Ｂに衝撃を与え、ごみ容器Ｂからのごみの排出を容易にしている。なお、支持台６の背面には上係止片１１や下係止片１２等が突出しているが、ごみ容器Ｂの側面は上部支持ローラ３２および下部支持ローラ３４に支持されているので、上係止片１１や下係止片１２等はごみ容器Ｂに干渉しない。
【００４２】
上述のように、本実施形態におけるごみ容器反転装置４では、固縛保持するごみ容器Ａ，Ｂのタイプに応じて上部支持ローラ３２および下部支持ローラ３４を同期して回動させ、ごみ容器の側面を支持する作業位置と、支持台６側に格納される格納位置との間で容易に出没させることが可能となっている。
【００４３】
このように本実施形態におけるごみ容器反転装置４では、第１固縛保持装置１０によりタイプＡのごみ容器Ａの反転投入が可能であるとともに、第２固縛保持装置２０によりタイプＢのごみ容器Ｂの反転投入が可能であり、タイプＡとタイプＢの違いに係わらず、両方のごみ容器Ａ，Ｂの反転投入を行うことができ、汎用性に優れたものとなる。
【産業上の利用可能性】
【００４４】
本発明のごみ容器反転装置は、家庭や工場などから発生したごみを塵芥収容箱内に投入するに際し、ごみが収容されたごみ容器を反転させてごみ容器内のごみを塵芥投入箱に投入するための装置として有用である。
【符号の説明】
【００４５】
１  塵芥収容箱
１ａ  後方開口部
２  塵芥投入箱
３  投入口
４  ごみ容器反転装置
５  基台
６  支持台
７  作動アーム
８  反転補助アーム
１０  第１固縛保持装置
１１  上係止片
１２  下係止片
１３  下係止片作動アーム
１４  スプリング筒
２０  第２固縛保持装置
２１，２３，２６  ブラケット
２１ａ，２３ａ，２６ａ，３１ａ，３４ａ，３５ａ  ピン
２２  上挟持部材
２４  下挟持部材
２５  長孔
２７  長孔部
２８  ロックピン
２８ａ  ロッド
３０  ガイド装置
３１  上部ブラケット
３２  上部支持ローラ
３２ａ  ピン
３３  下部ブラケット
３３ａ  支持シャフト
３３ｂ  ピン
３４  下部支持ローラ
３５  リンクアーム
Ａ１  係合凹部
Ａ２  係止ピン
Ｂ１  固縛棒
【図１】
0005496844.tif 000002
【図２】
0005496844.tif 000003
【図３】
0005496844.tif 000004
【図４】
0005496844.tif 000005
【図５】
0005496844.tif 000006
【図６】
0005496844.tif 000007
【図７】
0005496844.tif 000008
【図８】
0005496844.tif 000009